(57)【要約】【課題】従来形のＪＩＳ  ２形自動点滅器を利用して建物内照明灯の点灯・消灯を自己制御することを可能とする。【解決手段】内部に照度検出手段と該照度検出手段からの指令によって照明灯への給電回路開閉スイッチが作動する給電手段が収納されている容器型ブラインドボックスからなり、その採光口には、外光採り入れ孔を有する固定遮光板と可動遮光板とを有する採光量調整装置が取り付けられ、建物内の照明灯設置個所における照度に対応する建物外の周囲照度において照度検出手段が給電装置の回路開閉スイッチを閉成（ＯＮ）及び開成（ＯＦＦ）する指令を発する採光量となるように可動遮光板によって採光量を調整できる構造であることを特徴とする建物内照明用の自己制御照明装置に用いられる自動点滅器、及び該自動点滅器を建物内照明灯に接続してなる自己制御照明装置。【選択図】  図１
2004311045.tif 000002
【特許請求の範囲】
【請求項１】
一端が採光口であり、内部に照度検出手段と該照度検出手段からの指令によって照明灯への給電回路開閉スイッチが作動する給電手段を有する自動点滅機構が収納されているブラインドボックスからなり、該採光口には、外光採り入れ孔を有する固定遮光板と、該固定遮光板の外光採り入れ孔からの採光量を任意に減少させることができる可動遮光板とを有する採光量調整装置が取り付けられており、該採光量調整装置は、建物内の照明灯設置個所における照明灯を点灯すべき照度、及び照明灯を消灯すべき照度にそれぞれ対応する建物外の周囲照度において前記照度検出手段が前記給電装置の回路開閉スイッチを閉成（ＯＮ）及び開成（ＯＦＦ）する指令を発する採光量となるように可動遮光板によって採光量を調整できる構造であることを特徴とする建物内照明用の自己制御照明装置に用いられる自動点滅器。
【請求項２】
前記採光量調整装置は、一端が外光採り入れ孔を有する固定遮光板と該固定遮光板の外光採り入れ孔を部分的に覆って採光量を任意に減少させることができる可動遮光板とよりなり、他端は前記ブラインドボックスの採光口側開口部に嵌合固定するとができる構造の開口部であることを特徴とする請求項１記載の建物内照明用の自己制御照明装置に用いられる自動点滅器。
【請求項３】
前記ブラインドボックスと採光量調整装置は共に円筒形であり、採光量調整装置における前記外光採り入れ孔を有する固定遮光板は、その円中心部から放射状に形成されている複数の外光採り入れ孔を有し、前記可動遮光板は、前記固定遮光板の円中心部を回転軸として放射状に形成されている複数の羽根板の回転によって前記固定遮光板の複数の外光採り入れ孔からの採光量を任意に減少させることができる構造であることを特徴とする請求項１又は２に記載の建物内照明用の自己制御照明装置に用いられる自動点滅器。
【請求項４】
前記ブラインドボックスと採光量調整装置は共に矩形であり、採光量調整装置における前記外光採り入れ孔を有する固定遮光板は、採光口の一側部から対向する他側部にわたって平行に形成されている複数の外光採り入れ孔を有し、前記可動遮光板は、該固定遮光板の複数の外光採り入れ孔に平行な複数の遮光板を有するスライド可能な枠体であって、そのスライド移動によって固定遮光板の複数の外光採り入れ孔からの採光量を任意に減少させることができる構造であることを特徴とする請求項１又は２に記載の建物内照明用の自己制御照明装置に用いられる自動点滅器。
【請求項５】
前記ブラインドボックスは、側壁に長さ方向に伸びるスリットを有し、該スリットに係合してスリット内をスライド移動可能で、かつスリットの所定位置で固定可能であるブラインドボックス取付脚を有することを特徴とする請求項１〜４のいずれか１項に記載の建物内照明用の自己制御照明装置に用いられる自動点滅器。
【請求項６】
照度検出手段と該照度検出手段からの指令によって給電回路開閉スイッチが作動する給電手段とを有する自動点滅機構が収納されている採光口を有するブラインドボックスからなる、建物外部に設置される自動点滅器を、建物内に設置される照明灯に接続してなる自己制御照明装置であって、前記自動点滅器におけるブラインドボックスは、建物内の照明灯設置個所における照明灯を点灯すべき照度、及び照明灯を消灯すべき照度にそれぞれ対応する建物外の周囲照度において、前記照度検出手段が前記給電装置の回路開閉スイッチを閉成（ＯＮ）及び開成（ＯＦＦ）する指令を発する採光量となるように調整されている採光口を有することを特徴とする、建物内照明用の自己制御照明装置。
【請求項７】
採光量調整装置を装備した採光口を有し、かつ照度検出手段と該照度検出手段からの指令によって給電回路開閉スイッチが閉・開成（ＯＮ・ＯＦＦ）する給電手段とを有する自動点滅機構が収納されているブラインドボックスからなる、建物外部に設置される自動点滅器を、建物内に設置される照明灯と接続してなる自己制御照明装置であって、前記自動点滅器のブラインドボックスの採光口は、建物内の照明灯設置個所における照明灯を点灯すべき照度、及び照明灯を消灯すべき照度にそれぞれ対応する建物外の周囲照度において、前記照度検出手段が前記給電装置の回路開閉スイッチを閉成（ＯＮ）及び開成（ＯＦＦ）する指令を発する採光量となるように、前記採光量調整装置によって採光量が調整されていることを特徴とする、建物内照明用の自己制御照明装置。
【請求項８】
前記自動点滅器のブラインドボックスにおける採光量調整装置は、一端側に、外光採り入れ孔を有する固定遮光板と、該固定遮光板に取り付けられている該外光採り入れ孔からの採光量を任意に減少させることができる可動遮光板とを有し、他端側は前記ブラインドボックスの採光口へ嵌合する開口部となっていることを特徴とする請求項６又は７に記載の建物内照明用の自己制御照明装置。
【請求項９】
前記自動点滅器は、前記採光口における固定遮光板及び／又は可動遮光板に、該可動遮光板を移動することによって調整される外光採り入れ孔から前記照度検出手段への採光量を表示する手段が付与されていることを特徴とする請求項８記載の建物内照明用の自己制御照明装置。
【請求項１０】
前記外光採り入れ孔から前記照度検出手段への採光量を表示する手段が、固定遮光板及び／又は可動遮光板に付与された目盛りであることを特徴とする請求項９記載の建物内照明用の自己制御照明装置。
【請求項１１】
前記自動点滅器が、前記請求項１〜５のいずれか１項に記載の自動点滅器であることを特徴とする前記請求項６〜１０のいずれか１項に記載の建物内照明用の自己制御照明装置。
【発明の詳細な説明】
【０００１】
【発明の属する技術分野】
本発明は、ＥＥスイッチやフォトスイッチなどと称される、ＪＩＳ規格２形の自動点滅器と、外光によって明るさが変化する建物内の個所に設置されている照明灯を該自動点滅器と連結してなる建物内照明灯の自己制御照明装置に関するものである。
【０００２】
【従来の技術】
従来より、建物外部に設置され、建物外部が暗くなれば自動的に点灯し、明るくなれば自動的に消灯するという自己制御照明が防犯灯、門灯、ポーチ灯、街路灯などとして用いられている。このような自己制御照明には、周囲の明るさ（周囲照度）に応じて照明灯を自動的に点灯・消灯させるための自動点滅器（ＥＥスィッチ）が備えられている。
【０００３】
このような自己制御照明の主要部となる自動点滅器は、受光素子を内蔵する受光部で自然光を受光して明るさが点灯のための設定値を下回るか、消灯のための設定値を上回るかによって照明灯への給電装置の開閉を制御するものであるため、自然光以外の光、例えば、自動車のヘッドライトからの光などが照射された時の誤動作を防止するための工夫が施された上で（特許文献１、特許文献２）、外光を正確に感知できるような屋外個所に、木陰や物陰を避けて設置されるのが普通である。
【０００４】
一方、建物内の特定個所に設置されている照明灯を、設置個所の明るさによって自動点灯させる自己制御照明灯としては、設置個所の明るさが一定の照度以下となった場合に照明灯を点灯し、該点灯時から設定時間経過した後にタイマで自動的に照明灯を消灯するように、周囲照度による自動点灯とタイマによる消灯とを組合せた方式の自己制御照明が提案されている（特許文献３等）。
しかし、建物内に設置されている照明灯を、該設置個所の明るさの変化のみによって自動的に点滅させる方式の自己制御照明装置は未だ見当たらない。
【０００５】
【特許文献１】
実開昭６２−１２１５２１号公報
【特許文献２】
特開２００１−３０７６０５号公報
【特許文献３】
特開２００１−３０７８８９号公報
【０００６】
【発明が解決しようとする課題】
本発明は、建物内において、照明灯点灯時以外の昼間の時間帯は外光の明るさだけに頼っている個所である、例えば、マンションビルの玄関ホール、エレベーターホール、共用廊下等に設置されている照明灯の点灯、消灯を、建物外に設置した自動点滅器による周囲照度の検知のみによって自動的に点滅させる方式の自己制御照明装置と、該自己制御照明装置に使用する採光量調整可能な採光口を有する自動点滅器を提供することを目的とするものである。
【０００７】
【課題を解決するための手段】
上記課題を解決するための本発明は、建物外に設置されていて周囲照度に応じて外部電源から建物内照明灯への給電回路を開閉する自動点滅器により、照明灯点灯時以外は外光による明るさだけに頼っている建物内の個所に設置されている照明灯の点灯、消灯を自動的に制御することを可能とした建物内照明灯の自動点滅装置と、該装置に使用する建物外設置用の採光量調整装置を有する自動点滅器とに関するものであり、以下の各発明を包含する。
【０００８】
（１）一端が採光口であり、内部に照度検出手段と該照度検出手段からの指令によって照明灯への給電回路開閉スイッチが作動する給電手段を有する自動点滅機構が収納されている容器型のブラインドボックスからなり、該採光口には、外光採り入れ孔を有する固定遮光板と、該固定遮光板の外光採り入れ孔からの採光量を任意に減少させることができる可動遮光板とを有する採光量調整装置が取り付けられており、該採光量調整装置は、建物内の照明灯設置個所における照明灯を点灯すべき照度、及び照明灯を消灯すべき照度にそれぞれ対応する建物外の周囲照度において前記照度検出手段が前記給電装置の回路開閉スイッチを閉成（ＯＮ）及び開成（ＯＦＦ）する指令を発する採光量となるように可動遮光板によって採光量を調整できる構造であることを特徴とする建物内照明用の自己制御照明装置に用いられる自動点滅器。
【０００９】
（２）前記採光量調整装置は、一端が外光採り入れ孔を有する固定遮光板と該固定遮光板の外光採り入れ孔を部分的に覆って採光量を任意に減少させることができる可動遮光板とよりなり、他端は前記ブラインドボックスの採光口側開口部に嵌合固定するとができる構造の開口部であることを特徴とする（１）項記載の建物内照明用の自己制御照明装置に用いられる自動点滅器。
【００１０】
（３）前記ブラインドボックスと採光量調整装置は共に円筒形であり、採光量調整装置における前記外光採り入れ孔を有する固定遮光板は、その円中心部から放射状に形成されている複数の外光採り入れ孔を有し、前記可動遮光板は、前記固定遮光板の円中心部を回転軸として放射状に形成されている複数の羽根板の回転によって前記固定遮光板の複数の外光採り入れ孔からの採光量を任意に減少させることができる構造であることを特徴とする（１）項又は（２）項に記載の建物内照明用の自己制御照明装置に用いられる自動点滅器。
【００１１】
（４）前記ブラインドボックスと採光量調整装置は共に矩形であり、採光量調整装置における前記外光採り入れ孔を有する固定遮光板は、採光口の一側部から対向する他側部にわたって平行に形成されている複数の外光採り入れ孔を有し、前記可動遮光板は、該固定遮光板の複数の外光採り入れ孔に平行な複数の遮光板を有するスライド可能な枠体であって、そのスライド移動によって固定遮光板の複数の外光採り入れ孔からの採光量を任意に減少させることができる構造であることを特徴とする（１）項又は（２）項に記載の建物内照明用の自己制御照明装置に用いられる自動点滅器。
【００１２】
（５）前記ブラインドボックスは、側壁に長さ方向に伸びるスリットを有し、該スリットに係合してスリット内をスライド移動可能で、かつスリットの所定位置で固定可能であるブラインドボックス取付脚を有することを特徴とする（１）項〜（４）項のいずれか１項に記載の建物内照明用の自己制御照明装置に用いられる自動点滅器。
【００１３】
（６）照度検出手段と該照度検出手段からの指令によって給電回路開閉スイッチが作動する給電手段とを有する自動点滅機構が収納されている採光口を有するブラインドボックスからなる、建物外部に設置される自動点滅器を、建物内に設置される照明灯に接続してなる自己制御照明装置であって、前記自動点滅器におけるブラインドボックスは、建物内の照明灯設置個所における照明灯を点灯すべき照度、及び照明灯を消灯すべき照度にそれぞれ対応する建物外の周囲照度において、前記照度検出手段が前記給電装置の回路開閉スイッチを閉成（ＯＮ）及び開成（ＯＦＦ）する指令を発する採光量となるように調整されている採光口を有することを特徴とする、建物内照明用の自己制御照明装置。
【００１４】
（７）採光量調整装置を装備した採光口を有し、かつ照度検出手段と該照度検出手段からの指令によって給電回路開閉スイッチが閉・開成（ＯＮ・ＯＦＦ）する給電手段とを有する自動点滅機構が収納されているブラインドボックスからなる、建物外部に設置される自動点滅器を、建物内に設置される照明灯と接続してなる自己制御照明装置であって、前記自動点滅器のブラインドボックスの採光口は、建物内の照明灯設置個所における照明灯を点灯すべき照度、及び照明灯を消灯すべき照度にそれぞれ対応する建物外の周囲照度において、前記照度検出手段が前記給電装置の回路開閉スイッチを閉成（ＯＮ）及び開成（ＯＦＦ）する指令を発する採光量となるように、前記採光量調整装置によって採光量が調整されていることを特徴とする、建物内照明用の自己制御照明装置。
【００１５】
（８）前記自動点滅器のブラインドボックスにおける採光量調整装置は、一端側に、外光採り入れ孔を有する固定遮光板と、該固定遮光板に取り付けられている該外光採り入れ孔からの採光量を任意に減少させることができる可動遮光板とを有し、他端側は前記ブラインドボックスの採光口へ嵌合する開口部となっていることを特徴とする（６）項又は（７）項に記載の建物内照明用の自己制御照明装置。
【００１６】
（９）前記自動点滅器は、前記採光口における固定遮光板及び／又は可動遮光板に、該可動遮光板を移動することによって調整される外光採り入れ孔から前記照度検出手段への採光量を表示する手段が付与されていることを特徴とする（８）項記載の建物内照明用の自己制御照明装置。
【００１７】
（１０）前記外光採り入れ孔から前記照度検出手段への採光量を表示する手段が、固定遮光板及び／又は可動遮光板に付与された目盛りであることを特徴とする（９）記載の建物内照明用の自己制御照明装置。
【００１８】
（１１）前記自動点滅器が、前記（１）項〜（５）項のいずれか１項に記載の自動点滅器であることを特徴とする前記（６）項〜（１０）項のいずれか１項に記載の建物内照明用の自己制御照明装置。）
【００１９】
【発明の実施の形態】
本発明の建物内照明用の自己制御照明装置に用いられる自動点滅器は、建物内の照明灯設置個所における照明灯を、建物外の周囲照度の変化に応じて自動的に点灯及び消灯することができるものであり、建物外の周囲照度の変化に応じて自動的に点灯及び消灯する基本的な機能は、通常のＪＩＳ規格２形の自動点滅器と同様である。
【００２０】
しかし、建物外の周囲照度の変化のみで自動的に照明灯の点灯及び消灯を行う自動点滅器（ＥＥスイッチ）は、それを建物内の照明灯設置個所に設置した場合、周囲照度の低下によって自動点灯することはできるが、点灯後は、該照明灯の明るさを検知して自動的に消灯させることとなるため、通常は、建物内には設置されない。
【００２１】
本発明の自動点滅器は、通常のＪＩＳ  ２形の自動点滅器と同様に、照度検出手段と、該照度検出手段からの指令によって照明灯への給電回路を開閉するスイッチを有する給電手段とを有する自動点滅機構を内蔵し、かつ、その照度検出手段への採光量を低減するする機構を有しており、建物内における照明灯設置個所の照度が照明灯を点灯しなければならない照度となったとき、又は、建物内における照明灯設置個所の照度が照明灯を消灯しなければならない照度となったときに対応する建物外部の周囲照度によって上記照度検出手段が作動するように構成されている。
【００２２】
また、上記自動点滅器を使用して建物内の照明灯を自動点滅させる本発明の自己制御照明装置は、建物外部に設置した該自動点滅器を建物内の照明灯に接続してなるものであり、該自動点滅器は、建物内の照明灯設置個所の周囲照度が照明灯の点灯、消灯が必要となった場合に、建物外に設置される該自動点滅器内の照度検出器が作動する採光量となるように調整されている。
【００２３】
以下、図面にしたがって本発明の自動点滅器と、それを使用した自己照明制御装置を具体的に説明する。
図１は、本発明の自動点滅器を採光口側（下側）から見た斜視図であり、図２は、図１の自動点滅器を採光口側の反対側（上側）から見た斜視図である。
また、図３は、図１の自動点滅器の採光部を形成する採光量調整装置部を示し、図４は、図１の自動点滅器の内部構造を説明する断面図である。
【００２４】
図１において、１は自動点滅器、２はブラインドボックス部（円筒型）、２ａは鍔部、３は採光量調整装置部、４は採光量調整装置３における固定遮光板、５は可動遮光板（回転式）、６は固定遮光板に穿設された外光採り入れ口である採光孔をそれぞれ示す。
【００２５】
自動点滅器１は、ブラインドボックス２の内部に照度検出手段１０及び給電手段１１（図４参照）を有する自動点滅機構１２が収納、固定されており、その採光口側（下側開口部）には図３に示されるような採光量調整装置３の（上側）開口部が挿し込まれ、ブラインドボックス２の内壁に設けられている突起１３（図４参照）に固定用スリット９によって係合固定されている。
【００２６】
採光量調整装置３は、複数の外光採り入れ孔である採光孔６を有する固定遮光板４と、該固定遮光板４の中心部に回転自在に軸支されている回転つまみ部５ｂと該つまみ部から放射状に形成されている複数の羽根部分５ａを有する可動遮光板５を有している。
【００２７】
上記構造の本発明の自動点滅器１は、採光量調整装置３の可動遮光板５を予め設けてある目盛りの所定位置まで回転させて固定遮光板の採光孔６を回転羽根５ａで部分的に覆っておくことにより、自動点滅器（ＪＩＳ規格２形品）内に設置されている照度検出手段への採光量を低減させ、建物内の照明灯設置個所の照度が照明灯の点灯又は消灯を必要とする照度となったとき、該建物内部の照度に対応する建物外部の周囲照度（通常の照度検出手段はこの照度では作動しない）において自動点滅器内の照度検出手段が作動するように採光量を低減させている。
【００２８】
上記のように、本発明の自動点滅器によれば、建物内の設置個所によって異なる照明灯の点灯時期及び消灯時期を、従来の一定照度でしか作動しないＪＩＳ規格２形の自動点滅器を、前記構造の採光量調整装置を取り付けたブラインドボックスに収納し、固定するだけで任意かつ容易にコントロールすることが可能である。
【００２９】
以上、本発明の自動点滅装置に使用することができる自動点滅器の採光量調整装置を円筒型のものについて説明したが、採光量調整装置としては以下の形式のものも採用することができる。
【００３０】
図５〜図９は、採光量調整装置からの採光量をさらに低減させる必要のある場合に前記採光量調整装置に取り付けて使用される多孔板であり、図５（イ）は、皿状の筒状体の底部にパンチング孔を有している。図５（ロ）は、図５（イ）の遮光補助板を図３の採光量調整装置内部に嵌合させた状態を外部（下側）から見た遮光補助具である。
【００３１】
図６（イ）は、図５（イ）の遮光補助具のパンチング孔を有する底部部分の中心部にパンチング孔が穿たれていない円盤状部分を残している場合の例を示しており、図６（ロ）は、それを図３の採光量調整装置内部に嵌合させた状態を外部（下側）から見た図である。この形式の遮光補助具は、図５の補助具よりもさらに照度を上げたときに点灯、又は消灯させたい場合に使用することができる。
【００３２】
図７は、図３の採光量調整装置とは異なる可動蝶型採光量調整装置を示すものであり、開度調整ネジで蝶型遮光板を開閉させて採光量を調整するものである。
図８は、図３の円筒型の採光量調整装置とは異なり、矩形の枠体の一側部から対向する他側部にわたる複数の平行に設置されている回転羽根を有し、該平行な回転羽根を開度調整ネジによって一体的に回転させることにより、採光量を調整することができる採光量調整装置を示している。（イ）は、下側から見た図であり、（ロ）は上側から見た図である。
図１０は、採光口側に、スライド式の可動遮光板とを組合せた形式の採光量調整装置を示している。
【００３３】
【実施例】
本発明の建物内照明灯の自己制御照明装置及び自動点滅器の作用効果を確認するために、図３の形式の採光量調整装置を有するブラインドボックスの中に、図４に示すように、照度検出手段と給電手段を有する自動点滅機構として、ＪＩＳ２形の自動点滅器〔松下電工（株）製「ＥＥ５５１３」〕を取り付けて建物外部に設置した。
【００３４】
次いで、上記自動点滅器を建物内照明灯設置個所（昼間は照明灯を必要としない明るさであるエレベータホール）の照明灯に接続し、該照明灯設置個所の周囲照度が点灯が必要である１００  ｌｘの明るさとなったところで、ブラインドボックス設置個所の周囲照度を測定したところ、１０００  ｌｘであった。この明るさでは、自動点滅器「ＥＥ５５１３」は作動しない。
【００３５】
そこで、自動点滅器の採光量調整装置の回転羽根を操作して固定遮光板の採光孔を徐々に閉鎖して行って、自動点滅器内の照度検出手段が給電手段におけるスイッチ回路をスイッチＯＮ作動させる採光量となるまで上記自動点滅器への採光量を低減させた。建物内照明灯が点灯した時の回転羽根の位置に点灯マークを付して回転羽根を該マーク位置に固定した。
【００３６】
上記のように採光量を調整した自動点滅器は、該建物内照明灯設置個所が暗い状態から徐々に明るくなり、建物外部が明るくなっても、照明灯設置個所の周囲照度が消灯が必要な明るさとなるまではスイッチＯＦＦ作動せず、点灯照度と略同じ１００  ｌｘ程度となった場合の建物外部の照度によってスイッチＯＦＦ作動し、建物内の照明灯が消灯した。
【００３７】
上記点灯マーク位置に前記採光量調整装置の回転羽根を固定して、１週間にわたって建物内に設置した照明灯の点灯時期と消灯時期の観察を行なったところ、測定期間を通して、略同一の建物内照度において照明灯の点灯及び消灯が自動的に行なわれることが確認された。
【００３８】
同様に、建物内で点灯及び消灯が必要となる時間帯が異なる個所に設置した照明灯についても、自動点滅器の採光量を調整するだけで、照明灯の点灯及び消灯が自動的に行なわれることが確認された。
以上の結果は、図３等に示した採光量調整装置を使用して得られた結果であるが、同様の結果は図５〜図９のような採光量調整装置を採用しても得ることができる。
【図面の簡単な説明】
【図１】本発明の自動点滅器を採光口側（下側）から見た斜視図である
【図２】図１の自動点滅器を採光口側の反対側（上側）から見た斜視図である
【図３】図１の自動点滅器の採光部を形成する採光量調整装置部を示す図である
【図４】図１の自動点滅器の内部構造を説明する上下方向断面図である
【図５】皿状の筒状体の底部にパンチング孔が穿たれている遮光補助具とそれを装着した採光量調整装置を示す図である
【図６】皿状の筒状体の底部に中心部を残してパンチング孔が穿たれている遮光補助具とそれを装着した採光量調整装置を示す図である
【図７】可動蝶型採光量調整装置を示す図である
【図８】矩形の枠体の一方の側部から対向する他方の側部にわたる複数の平行な回転羽根を設けた採光量調整装置を示す図である
【図９】網目板からなる固定遮光板と、スライド式の可動遮光板とを組合せた形式の採光量調整装置を示す図である
【符号の説明】
１：自動点滅器
２：ブラインドボックス
３：採光量調整装置
４：固定遮光板
５：可動遮光板
６：外光採り入れ口
７：ブラインドボックス取り付け脚
８：取り付け脚スライド用スリット
９：採光量調整装置固定用スリット
１０：照度検出手段
１１：給電手段
１２：自動点滅機構
１３：採光量調整装置固定用突起
【図１】
2004311045.tif 000003
【図２】
2004311045.tif 000004
【図３】
2004311045.tif 000005
【図４】
2004311045.tif 000006
【図５】
2004311045.tif 000007
【図６】
2004311045.tif 000008
【図７】
2004311045.tif 000009
【図８】
2004311045.tif 000010
【図９】
2004311045.tif 000011